(57)【要約】【課題】原稿が光を透過しない原稿であるか否かを容易に判定することができる画像読取装置の提供。【解決手段】原稿とＣＩＳ４０は、キャリッジ４１又はＡＤＦ２８により相対的に移動される。この相対移動の過程において、光源４２から原稿へ時分割に光照射されて原稿からの反射光がＣＩＳ４０により読み取られる。この原稿の読取動作における消灯期間では、光源４２が消灯された状態でＣＩＳ４０により原稿が主走査方向に１ライン分読み取られる。これによりＣＩＳ４０から出力された画像信号に基づいて、原稿種別が判定される。【選択図】図８
2008160807.tif 000002
【特許請求の範囲】
【請求項１】
光源から原稿への光照射と該光源の消灯とを交互に繰り返して該原稿を読み取る読取部と、
上記原稿と上記読取部とを相対的に移動させる移動部と、
上記光源の消灯期間に上記読取部が上記原稿を主走査方向に読み取って出力した画像信号に基づいて、上記原稿が光を透過しない第１原稿であるか否かを判定する判定部とを具備する画像読取装置。
【請求項２】
上記光源は、相異なる色で発光する複数の発光素子を備え、
上記読取部は、上記複数の発光素子を順に点灯させて原稿へ光照射する請求項１に記載の画像読取装置。
【請求項３】
上記判定部は、上記原稿の主走査方向の中央部分に対応する上記消灯期間の画像信号の強度が第１の信号レベル未満であり、且つ主走査方向の両端部分に対応する上記消灯期間の画像信号の強度が第２の信号レベルを超えたことを条件に、上記原稿が第１原稿であると判定する請求項１又は２に記載の画像読取装置。
【請求項４】
上記第１の信号レベルをＬ１、上記第２の信号レベルをＬ２とすると、上記第１の信号レベルと上記第２の信号レベルとが、Ｌ１≦Ｌ２の関係を満たす請求項３に記載の画像読取装置。
【請求項５】
上記消灯期間の画像信号に基づいて外光を検出する検出部を備え、
上記判定部は、上記検出部が外光を検出した場合に、上記原稿が第１原稿であるか否かを判定する請求項１から４のいずれかに記載の画像読取装置。
【請求項６】
上記検出部は、上記消灯期間の画像信号の強度が第３の信号レベルを超えたことを条件に、外光を検出したとする請求項５に記載の画像読取装置。
【請求項７】
上記読取部が基準部材からの反射光を読み取って取得した白基準データの所定割合の値を上記第３の信号レベルとして格納する記憶部を有し、
上記検出部は、上記消灯期間の画像信号の強度が上記記憶部に格納されている第３の信号レベルを超えたことを条件に、外光を検出したとする請求項６に記憶の画像読取装置。
【請求項８】
上記検出部は、上記消灯期間に上記読取部が上記原稿を主走査方向に読み取って出力した１ライン分の画素の画像信号のうちで、画像信号の強度が上記第３の信号レベルを超える画像信号の画素の数が所定数に達したことを条件に、外光を検出したとする請求項６又は７に記載の画像読取装置。
【請求項９】
上記検出部は、上記消灯期間に上記読取部が上記原稿を主走査方向に読み取って出力した１ライン分の画素の画像信号の強度の平均値が上記第３の信号レベルを超えたことを条件に、外光を検出したとする請求項６又は７に記載の画像読取装置。
【請求項１０】
原稿が載置される原稿台に開閉自在な原稿カバーを備え、
上記原稿カバーは、原稿を受ける原稿トレイと、当該原稿を搬送路に沿って搬送して上記読取部が配置された所定の読取位置を通過させる上記移動部と、上記原稿トレイにおける原稿の有無を検出する第１センサとを有し、
上記検出部は、上記第１センサにより原稿なしが検出された場合に、上記外光検出を開始する請求項５から９のいずれかに記載の画像読取装置。
【請求項１１】
上記原稿カバーの開閉を検出する第２センサを有し、
上記検出部は、上記第２センサにより上記原稿カバーの開姿勢が検出されたことを条件に、上記外光検出を開始する請求項１０に記載の画像読取装置。
【請求項１２】
上記検出部が外光を検出した場合に、上記光源の点灯期間に上記読取部が上記原稿を読み取って出力した画像信号に対して外光の影響を除く補正処理を行う第１補正部を備える請求項５から１１のいずれかに記載の画像読取装置。
【請求項１３】
上記第１補正部は、上記判定部により上記原稿が第１原稿であると判定された場合に、上記原稿の主走査方向の両端部分に対応する上記点灯期間の画像信号に対して上記補正処理を行う請求項１２に記載の画像読取装置。
【請求項１４】
上記第１補正部は、上記判定部により上記原稿が第１原稿ではないと判定された場合に、上記原稿の主走査方向の全域に対応する上記点灯期間の画像信号に対して上記補正処理を行う請求項１２又は１３に記載の画像読取装置。
【請求項１５】
上記点灯期間の画像信号をシェーディング補正する第２補正部を備え、
上記補正処理は、上記シェーディング補正に使用される白基準データを変更する処理である請求項１２から１４のいずれかに記載の画像読取装置。
【請求項１６】
上記移動部は、原稿トレイに載置された原稿を搬送路に沿って搬送して上記読取部が配置された所定の読取位置を通過させる搬送機構と、原稿台に載置された原稿に対して上記読取部を移動させる移動機構と、を備え、
上記搬送機構により原稿が搬送される際に上記光源の点灯期間においてのみ上記読取部が原稿を読み取る第１モードと、上記移動機構により上記読取部が移動される際に上記光源の点灯期間及び消灯期間において当該読取部が原稿を読み取る第２モードと、を有する請求項１から１５のいずれかに記載の画像読取装置。
【発明の詳細な説明】
【技術分野】
【０００１】
本発明は、原稿の画像を読み取る画像読取装置に関するものである。
【背景技術】
【０００２】
所謂フラットベッドタイプの画像読取装置は、プラテンガラスに対して往復動するＣＩＳ（Contact Image Sensor）等を有するイメージセンサを備えている。この画像読取装置では、プラテンガラスに原稿が載置された状態でユーザにより原稿の読取開始が指示されると、ＣＩＳが移動する過程で原稿の画像が光学的に読み取られる。読み取られた原稿の画像は、画像信号（電気信号）としてＣＩＳから出力される。
【０００３】
ところで、例えば原稿がブック原稿などの厚手の原稿である場合、原稿カバーを開いた状態で原稿が読み取られる。このため、原稿の読取中にプラテンガラスを通じて原稿台の内部に外光が進入することがある。外光が進入した状態で原稿が読み取られる場合には、原稿からの反射光に外光を加えた光をＣＩＳが受光することになる。外光が進入していない場合に比べて出力される画像信号が大きくなるので、結果として出力画像が白くなっていた。
【０００４】
上記の問題を解決するために、外光が進入した影響で劣化した画像信号を補正することができるデジタル複写機が考案されている（例えば、特許文献１参照。）。特許文献１に開示されているデジタル複写機には、光量検出センサが設けられている。この光量検出センサは、原稿カバーによって覆われる原稿台の上面におけるプラテンガラスの外側に設けられている。上記デジタル複写機では、原稿カバーの開き具合にほぼ比例した外光の光量が光量検出センサにより検出される。そして、原稿から読み取られた画像信号に対する画像処理の条件が上記検出された光量に応じて変更される。これにより、光量検出センサにより検出された光量に応じた出力画像の補正が行われる。
【０００５】
また、特許文献１には、原稿の読取領域外まで主走査方向に延長されたＣＣＤを使用し、その延長部分を上記光量検出センサの代わりとして利用することが記載されている。これにより、外光検出用のセンサを個別に設けることなく外光が検出される。
【０００６】
【特許文献１】特開２００２−１８５７９６号公報
【発明の開示】
【発明が解決しようとする課題】
【０００７】
ところで、上記ブック原稿や冊子などの光を透過しない原稿がプラテンガラスに載置された場合、外光は、原稿の主走査方向の両端から原稿台の内部へ進入する。この場合、原稿の読み取りで得られた全画像信号のうち、原稿の主走査方向の両端に対応する画像信号のみが外光の影響を受ける。一方、プラテンガラスに載置された原稿が薄紙や透明な原稿である場合、外光は、原稿を全体的に透過して原稿台の内部へ進入する。この場合、原稿の読み取りで得られた画像信号の全てが外光の影響を受ける。特許文献１のデジタル複写機では、原稿が光を透過しないものであるか、或いは光を透過するものであるかにかかわらず同じ画像処理が行われる。このため、原稿の読み取りによって得られた画像信号から外光の影響を除くための最適な補正を行うことができないという問題がある。
【０００８】
本発明は、かかる問題に鑑みてなされたものであり、原稿が光を透過しない原稿であるか否かを容易に判定することができる画像読取装置を提供することを目的とする。
【課題を解決するための手段】
【０００９】
(1)  本発明に係る画像読取装置は、光源から原稿への光照射と該光源の消灯とを交互に繰り返して該原稿を読み取る読取部と、上記原稿と上記読取部とを相対的に移動させる移動部と、上記光源の消灯期間に上記読取部が上記原稿を主走査方向に読み取って出力した画像信号に基づいて、上記原稿が光を透過しない第１原稿であるか否かを判定する判定部とを具備する。
【００１０】
この画像読取装置では、原稿と読取部とが相対的に移動される過程で読取部による原稿の読み取りが行われる。原稿の読取動作中には、光源から原稿へ光が照射されて原稿からの反射光が読取部により読み取られる。この読取動作では光源の点灯と消灯が交互に繰り返されるので、消灯期間が存在する。この消灯期間は、光源が点灯されて次に光源が点灯されるまでの期間である。消灯期間では、光源を点灯させることなく原稿を主走査方向に１ライン分読み取った画像信号が読取部から出力される。このため、消灯期間の画像信号の強度は、外光が進入していなければ黒レベルと同等のものとなり、外光が進入していれば進入した外光の強度に対応したものとなる。
【００１１】
例えば本や冊子のように光を透過しない原稿を読み取る場合、外光が原稿を透過することはない。逆に、例えば薄紙や透明なシートのように光を透過する原稿を読み取る場合、外光が原稿を全体的に透過する。原稿が光を透過しない第１原稿であるか否かによって消灯期間の画像信号の信号波形が相違するので、消灯期間の画像信号に基づいて原稿が第１原稿であるか否かが判定される。ここで、第１原稿は、本や冊子のように光を透過しない原稿である。第１原稿以外の原稿は、薄紙や透明なシートのように光を透過する原稿である。
【００１２】
(2)  上記光源は、相異なる色で発光する複数の発光素子を備え、上記読取部は、上記複数の発光素子を順に点灯させて原稿へ光照射するものでもよい。
【００１３】
読取部により原稿のカラー画像が読み取られ、その読取動作における消灯期間に、原稿種別を判定するための読取動作が読取部により行われる。
【００１４】
(3)  上記判定部は、上記原稿の主走査方向の中央部分に対応する上記消灯期間の画像信号の強度が第１の信号レベル未満であり、且つ主走査方向の両端部分に対応する上記消灯期間の画像信号の強度が第２の信号レベルを超えたことを条件に、上記原稿が第１原稿であると判定するものでもよい。
【００１５】
原稿が第１原稿である場合、外光が原稿を透過することはなく、原稿の主走査方向の両端付近から外光が進入して読取部により読み取られる。このため、外光が進入している状態では、原稿の主走査方向の中央に対応する消灯期間の画像信号は、外光の影響を受けていないのでその強度が小さい。そして、原稿の主走査方向の両端に対応する消灯期間の画像信号は、外光の影響を受けてその強度が大きくなる。第１の信号レベル及び第２の信号レベルが適切な値に設定されることにより、原稿が第１原稿であるか又は第１原稿以外の原稿であるかが簡単且つ正確に判定される。
【００１６】
(4)  上記第１の信号レベルをＬ１、上記第２の信号レベルをＬ２とすると、上記第１の信号レベルと上記第２の信号レベルとが、Ｌ１≦Ｌ２の関係を満たす。
【００１７】
(5)  上記消灯期間の画像信号に基づいて外光を検出する検出部を備え、上記判定部は、上記検出部が外光を検出した場合に、上記原稿が第１原稿であるか否かを判定するものでもよい。
【００１８】
原稿の読取中に外光が進入していなければ、消灯期間の画像信号は黒レベルと同等のものである。原稿の読取中に外光が進入していれば、消灯期間の画像信号は外光の強度に対応したものとなる。消灯期間の画像信号に基づいて検出部により外光が検出される。検出部により外光が検出されなければ、原稿が第１原稿であるか否かに関わらず原稿の読み取りが正常に行われる。この場合、上記判定は不要である。逆に、検出部により外光が検出された場合、読取部が光源を点灯させて読み取った画像信号、すなわち点灯期間の画像信号は、外光の影響を受けたものとなる。検出部が外光を検出したことを条件に、判定部により原稿種別が判定される。
【００１９】
(6)  上記検出部は、上記消灯期間の画像信号の強度が第３の信号レベルを超えたことを条件に、外光を検出したとするものでもよい。
【００２０】
第３の信号レベルが適切な値に設定されることにより、外光が簡単且つ正確に検出される。
【００２１】
(7)  上記読取部が基準部材からの反射光を読み取って取得した白基準データの所定割合の値を上記第３の信号レベルとして格納する記憶部を有し、上記検出部は、上記消灯期間の画像信号の強度が上記記憶部に格納されている第３の信号レベルを超えたことを条件に、外光を検出したとしてもよい。
【００２２】
(8)  上記検出部は、上記消灯期間に上記読取部が上記原稿を主走査方向に読み取って出力した１ライン分の画素の画像信号のうちで、画像信号の強度が上記第３の信号レベルを超える画像信号の画素の数が所定数に達したことを条件に、外光を検出したとしてもよい。
【００２３】
これにより、判定誤差が少なくなる。
【００２４】
(9)  上記検出部は、上記消灯期間に上記読取部が上記原稿を主走査方向に読み取って出力した１ライン分の画素の画像信号の強度の平均値が上記第３の信号レベルを超えたことを条件に、外光を検出したとしてもよい。
【００２５】
(10)  原稿が載置される原稿台に開閉自在な原稿カバーを備え、上記原稿カバーは、原稿を受ける原稿トレイと、当該原稿を搬送路に沿って搬送して上記読取部が配置された所定の読取位置を通過させる上記移動部と、上記原稿トレイにおける原稿の有無を検出する第１センサとを有し、上記検出部は、上記第１センサにより原稿なしが検出された場合に、上記外光検出を開始してもよい。
【００２６】
画像読取装置には、原稿台に開閉自在な原稿カバーが設けられている。この原稿カバーは、原稿トレイ、移動部、及び第１センサを有している。移動部は、原稿カバーが閉じられた状態で動作する。原稿台に載置された原稿を読み取る場合、移動部により読取部が原稿に沿って移動される。その過程で、読取部により原稿の画像が読み取られる。原稿トレイに載置された原稿を読み取る場合、読取部が所定の読取位置に配置される。そして、原稿トレイの原稿は、所定の読取位置を通過するように移動部により搬送路に沿って搬送される。その過程で、所定の読取位置において原稿の画像が読取部により読み取られる。
【００２７】
原稿の読取開始が指示されると、原稿トレイにおける原稿の有無が第１センサにより検出される。第１センサにより原稿有りが検出されると、原稿トレイに載置された原稿の読み取りが指示されたと判断される。この場合、原稿カバーが閉じられているので、原稿台に外光が進入する可能性は低い。このため、検出部による外光検出は必ずしも必要ではない。第１センサにより原稿なしが検出されると、原稿台に載置された原稿の読み取りが指示されたと判断される。原稿台に載置された原稿は、原稿カバーが開かれた状態で読み取られることがある。このため、第１センサにより原稿なしが検出されたことを条件に、検出部による外光検出が開始される。
【００２８】
(11)  上記原稿カバーの開閉を検出する第２センサを有し、上記検出部は、上記第２センサにより上記原稿カバーの開姿勢が検出されたことを条件に、上記外光検出を開始するものでもよい。
【００２９】
原稿カバーが閉姿勢である場合、原稿台が原稿カバーによって覆われているので、原稿台には外光が進入しない。原稿カバーが開姿勢である場合、原稿台における原稿載置面が開放されているので、原稿台に外光が進入するおそれがある。原稿の読取開始時に原稿カバーの開閉が第２センサにより検出される。第２センサにより原稿カバーの閉姿勢が検出された場合、検出部による外光検出は開始されない。第２センサにより原稿カバーの開姿勢が検出されると、検出部による外光検出が開始される。
【００３０】
(12)  上記検出部が外光を検出した場合に、上記光源の点灯期間に上記読取部が上記原稿を読み取って出力した画像信号に対して外光の影響を除く補正処理を行う第１補正部を備えていてもよい。
【００３１】
補正処理が行われることにより、外光が進入した状態で得られた点灯期間の画像信号から外光の影響が除かれる。
【００３２】
(13)  上記第１補正部は、上記判定部により上記原稿が第１原稿であると判定された場合に、上記原稿の主走査方向の両端部分に対応する上記点灯期間の画像信号に対して上記補正処理を行うものでもよい。
【００３３】
原稿が第１原稿である場合、外光が原稿を透過することはない。このため、外光の影響を受けるのは、外光検出後に得られた点灯期間の画像信号のうち、原稿における主走査方向の両端部分に対応する画像信号である。上記構成により、点灯期間の画像信号のうち、外光の影響を受けているために補正処理が必要な画像信号に対してのみ補正処理が行われる。
【００３４】
(14)  上記第１補正部は、上記判定部により上記原稿が第１原稿ではないと判定された場合に、上記原稿の主走査方向の全域に対応する上記点灯期間の画像信号に対して上記補正処理を行うものでもよい。
【００３５】
原稿が第１原稿以外の原稿である場合、外光が原稿を全体的に透過する。このため、外光検出後に得られた点灯期間の画像信号の全てが外光の影響を受ける。上記構成により、外光検出後に得られた点灯期間の画像信号の全てに対して補正処理が行われる。
【００３６】
(15)  上記点灯期間の画像信号をシェーディング補正する第２補正部を備え、上記補正処理は、上記シェーディング補正に使用される白基準データを変更する処理であってもよい。
【００３７】
点灯期間の画像信号は、読取部による原稿の読取開始前に予め取得された白基準データに基づいてシェーディング補正される。この白基準データは、検出部が外光を検出したことを条件に、例えば外光が検出された消灯期間の画像信号に基づいて変更される。補正処理の対象となる画像信号は、この変更後の白基準データに基づいてシェーディング補正されることにより外光の影響が除かれる。
【００３８】
(16)  上記移動部は、原稿トレイに載置された原稿を搬送路に沿って搬送して上記読取部が配置された所定の読取位置を通過させる搬送機構と、原稿台に載置された原稿に対して上記読取部を移動させる移動機構と、を備え、上記搬送機構により原稿が搬送される際に上記光源の点灯期間においてのみ上記読取部が原稿を読み取る第１モードと、上記移動機構により上記読取部が移動される際に上記光源の点灯期間及び消灯期間において当該読取部が原稿を読み取る第２モードと、を有していてもよい。
【００３９】
外光が進入するおそれがない場合には第１モードに設定され、外光が進入するおそれがある場合には第２モードに設定されることによって、判定部による判定が必要な場合にのみ行われる。
【発明の効果】
【００４０】
本発明によれば、光源の消灯期間において原稿を主走査方向に読み取って得られた画像信号に基づいて、原稿が光を透過しない第１原稿であるか否かが容易に判定される。
【発明を実施するための最良の形態】
【００４１】
以下に、適宜図面が参照されて本発明の実施形態が説明される。なお、本実施形態は本発明の一例にすぎず、本発明の要旨を変更しない範囲で、実施形態が適宜変更されてもよい。
【００４２】
まず、本発明の画像読取装置の一実施形態に係るスキャナ１０の構成及び動作について説明する。図１は、スキャナ１０の外観構成を示す斜視図であり、原稿カバー１７が開かれた状態を示す。
【００４３】
スキャナ１０は、原稿の画像（原稿画像）を読み取るスキャナ機能を有するものであり、本発明の画像読取装置に相当する。なお、本発明は、スキャナ機能の他に、プリンタ機能、コピー機能、ファクシミリ機能などを有する多機能装置（ＭＦＤ：Multi Function Device）にも適用可能である。
【００４４】
図２は、図１における矢視IIから見たスキャナ１０の部分縦断面図であり、原稿カバー１７が閉じられた状態を示す。
【００４５】
図１及び図２に示されるように、スキャナ１０は、フラットベッドスキャナ（ＦＢＳ：Flat Bed Scanner）として機能する原稿台１１を備える。原稿台１１は、原稿が載置されるプラテンガラス２０を有している。ＦＢＳを用いて読み取られる原稿は、このプラテンガラス２０に載置される。原稿台１１には、プラテンガラス２０を覆うように原稿台１１に対して開閉自在な原稿カバー１７が設けられている。原稿カバー１７は、原稿台１１の背面側の蝶番（不図示）を介して原稿台１１と連結されている。この原稿カバー１７には、ＡＤＦ（Auto Document Feeder）２８（本発明の移動部の一部に相当する、本発明の搬送機構の一例）が設けられている。スキャナ１０では、プラテンガラス２０に載置された原稿、又はＡＤＦ２８により搬送される原稿の画像が読み取られる。
【００４６】
図１に示されるように、原稿台１１は、略直方体の筐体１５を有する。筐体１５の上面には、開口が形成されている。プラテンガラス２０は、この開口に設けられている。プラテンガラス２０は、１枚の透明なガラス板やアクリル板等からなる透過板である。プラテンガラス２０は、筐体１５の開口より十分に大きなものである。プラテンガラス２０のうち、開口から露出された領域が原稿の読取領域となる。筐体１５の内部にはイメージセンサ２１が設けられており、このイメージセンサ２１により原稿の画像が読み取られる。
【００４７】
図１及び図２に示されるように、プラテンガラス２０の上面には、区画部材５１が配設されている。区画部材５１は、原稿台１１の上面として露出されたプラテンガラス２０の読取領域を区画するものである。区画部材５１は、原稿台１１の奥行き方向、換言すればイメージセンサ２１の延設方向に長尺の平板状の部材である。区画部材５１は、プラテンガラス２０の読取領域を第１領域２０Ｌ及び第２領域２０Ｒに区画する。第１領域２０Ｌは、プラテンガラス２０の一端側（図２の左側）に設けられており、ＡＤＦ２８を用いて原稿の画像読み取りを行う際の読取面を構成している。第２領域２０Ｒは、プラテンガラス２０の他端側（図２の右側）に設けられており、スキャナ１０をＦＢＳとして使用する場合の原稿載置面である。なお、区画部材５１は、第２領域２０Ｒに原稿を載置する際に原稿の位置決め基準として用いられる。原稿は、区画部材５１に記した中央位置を基準として第２領域２０Ｒに載置される。区画部材５１には、中央位置やＡ４サイズ、Ｂ５サイズ等の各種原稿サイズの両端位置を示す表示が記されている。この表記を目印として、第２領域２０Ｒに原稿が載置される。
【００４８】
図１に示されるように、原稿カバー１７は、原稿台１１に開閉自在に設けられている。原稿カバー１７が原稿台１１に対して閉じられると、プラテンガラス２０は原稿カバー１７に覆われる。原稿カバー１７が原稿台１１に対して開かれると、プラテンガラス２０の上面が開放される。この状態で、ユーザは、原稿の読取面が下向きとなるようにプラテンガラス２０（第２領域２０Ｒ）に原稿を載置する。なお、以下の説明でプラテンガラス２０に原稿が載置されるとは、プラテンガラス２０の第２領域２０Ｒに原稿が載置されることを意味する。原稿カバー１７の下面には、第２領域２０Ｒを覆うように原稿押さえ１９が設けられている。原稿押さえ１９は、プラテンガラス２０上に載置された原稿を押さえるために、スポンジ及び白板等から構成されている。原稿カバー１７が閉じられると、プラテンガラス２０に載置された原稿は、原稿カバー１７により原稿押さえ１９を介してプラテンガラス２０へ向けて押圧される。この状態で、イメージセンサ２１がプラテンガラス２０に沿って走査され、原稿の画像読み取りが行われる。
【００４９】
図１に示されるように、原稿台１１の上面奥側には、原稿カバー１７の開閉を検出する開閉スイッチ２４（本発明の第２センサに相当する）が設けられている。開閉スイッチ２４は、原稿台１１の上面から出没可能に設けられており、バネにより上方へ付勢されている。原稿カバー１７が閉じられると、原稿カバー１７の押圧力により開閉スイッチ２４が原稿台１１に押し込まれて開閉スイッチ２４がＯＮ状態となる。原稿カバー１７が開かれると、開閉スイッチ２４に対する原稿カバー１７からの押圧力が除かれて開閉スイッチ２４が上方へ移動する。これにより、開閉スイッチ２４がＯＮ状態からＯＦＦ状態に変化する。この開閉スイッチ２４の状態に基づいて原稿カバー１７の開閉が検出される。
【００５０】
図２に示されるように、原稿カバー１７には、給紙トレイ２２（本発明の原稿トレイに相当する）及びＡＤＦ２８が設けられている。給紙トレイ２２は、原稿を受けるものである。ＡＤＦ２８は、原稿とＣＩＳ４０とを相対的に移動させるものである。ＡＤＦ２８は、給紙トレイ２２に載置された原稿を搬送路２６に沿って排紙トレイ２３へ搬送するものであり、原稿カバー１７が閉じられた状態で使用される。ＡＤＦ２８による原稿の搬送過程では、給紙トレイ２２に載置された原稿がプラテンガラス２０の第１領域２０Ｌ（図４参照）上を通過する。すなわち、第１領域２０Ｌが本発明における所定の読取位置に相当する。ＡＤＦ２８により搬送される原稿の読み取りが行われる場合、ＣＩＳ４０（図２及び図６参照）が第１領域２０Ｌの下方に待機している。この状態で、原稿が給紙トレイ２２から搬送路２６に沿って搬送される。その過程でイメージセンサ２１による原稿の読取動作が行われる。
【００５１】
図１に示されるように、スキャナ１０の正面上部には、操作パネル１３が設けられている。操作パネル１３は、各種情報を表示する液晶ディスプレイ、ユーザが情報を入力する入力キー等から構成される。スキャナ１０は、この操作パネル１３からの操作入力に基づいて動作する。プラテンガラス２０に載置された原稿、或いは、給紙トレイ２２に載置された原稿の読取開始を指示するユーザの操作入力は、この操作パネル１３から行われる。なお、スキャナ１０は、ユーザの操作パネル１３からの指示のほか、コンピュータに接続されて該コンピュータからスキャナドライバ等を介して送信される指示によっても動作される。
【００５２】
図２に示されるように、筐体１５の内部にイメージセンサ２１が配置されている。イメージセンサ２１は、ＣＩＳ４０（本発明の読取部に相当する）、キャリッジ４１（本発明の移動部の一部に相当する、本発明の移動機構の一例）、及び不図示の走査機構から構成されている。ＣＩＳ４０は、光源４２、レンズ４３、及び受光素子４４を備える。ＣＩＳ４０は、光源４２から原稿へ時分割に光照射して原稿からの反射光を読み取る。具体的には、ＣＩＳ４０は、光源４２からプラテンガラス２０を通じて原稿に光を照射し、該原稿からの反射光をレンズ４３により受光素子４４に集光して電気信号（画像信号）に変換する。すなわち、ＣＩＳ４０は、いわゆる密着型のイメージセンサ（ＣＩＳ：Contact Image Sensor）である。受光素子４４は、例えばチップ単位で原稿の主走査方向（図２の紙面に垂直方向）に並べて配置されている。光源４２及びレンズ４３は、この受光素子４４と同方向に配列されている。また、光源４２は、本実施形態においては、相異なる光で発光するレッド（Ｒ）・グリーン（Ｇ）・ブルー（Ｂ）の３色の発光素子（発光ダイオード：ＬＥＤ）を備えている。ＣＩＳ４０は、これら３色の発光素子を順に点灯させて原稿へ時分割に光照射し、原稿からの反射光を原稿のカラー画像として読み取る。このように構成されたＣＩＳ４０は、プラテンガラス２０に沿って原稿の副走査方向（図２の左右方向）へ往復動するキャリッジ４１に搭載されている。このキャリッジ４１の移動により、ＣＩＳ４０が第１領域２０Ｌの下方に配置され、また、プラテンガラス２０上の原稿とＣＩＳ４０とが相対的に移動される。
【００５３】
図３は、図１における矢視IIIから見た原稿台１１の縦断面図である。なお、図３においては、原稿カバー１７は省略されている。
【００５４】
キャリッジ４１は、図３に示されるように、走査機構であるベルト駆動機構（不図示）により、プラテンガラス２０の下方を筐体１５の幅方向に往復動可能に設けられている。筐体１５の内部には、筐体１５の幅方向に渡って架設されたガイドシャフト４５が設けられている。キャリッジ４１がＣＩＳ４０を搭載してガイドシャフト４５上を移動することにより、ＣＩＳ４０がプラテンガラス２０に沿って往復動する。
【００５５】
図３に示されるように、キャリッジ４１は、その上側にＣＩＳ４０を搭載している。キャリッジ４１の下面には、ガイドシャフト４５を受けるシャフト受け部４６が形成されている。また、シャフト受け部４６の側方には、ベルト取付部４７が下方へ突設されている。ベルト取付部４７は、ベルト駆動機構のタイミングベルト３４（図１参照）を取り付けることにより、タイミングベルト３４とキャリッジ４１とを連結する。なお、ベルト駆動機構は、駆動プーリ、従動プーリ、及びタイミングベルト３４からなる。駆動プーリと従動プーリとの間にタイミングベルト３４が巻架され、モータが駆動プーリの軸を回転させる。該駆動プーリの回転によりタイミングベルト３４が周運動する。
【００５６】
図３に示されるように、キャリッジ４１の上側には、バネ受け部４８が主走査方向に対称な左右２箇所に形成されている。ＣＩＳ４０の下面とバネ受け部４８との間には、圧縮コイルバネ４９が設けられている。ＣＩＳ４０は、圧縮コイルバネ４９の弾性力によりプラテンガラス２０の下面に押し付けられる。ＣＩＳ４０の上面における主走査方向の両端側には、コロ５０が設けられている。ＣＩＳ４０は、コロ５０によりキャリッジ４１の移動に伴ってプラテンガラス２０の下面に密着して移動する。原稿の読取開始が指示されると、プラテンガラス２０に載置された原稿に光源４２から光が照射される。原稿からの反射光が受光素子４４に受光され、受光素子４４から１ライン分の画像信号が出力される。キャリッジ４１が副走査方向に移動し、１ライン毎の読み取りが再び実行されるため、原稿全体の画像が読み取られる。
【００５７】
図４は、基準部材５３付近の構成を示す拡大断面図である。図５は、基準部材５３の構成を示す平面図である。
【００５８】
図４に示されるように、基準部材５３は、区画部材５１の下面側に、プラテンガラス２０と区画部材５１との間に設けられている。この基準部材５３は、ＣＩＳ４０の明度基準となるものである。基準部材５３は、区画部材５１の下面のほぼ全域を覆う薄膜帯状の部材である。基準部材５３は、図５に示されるように、ＣＩＳ４０の副走査方向、すなわち図５の左右方向に３つの領域を有する。左端側の領域５３Ａは、白色領域であり、ＣＩＳ４０の光量調整や白基準データ３０（図６参照）の取得に用いられる。中央の領域５３Ｂは、黒色領域であり、ＣＩＳ４０の黒基準データ３２（図６参照）の取得に用いられる。また、左端の領域５３Ａと中央の領域５３Ｂの境界が、ＣＩＳ４０の副走査方向の基準となる。右端の領域５３Ｃは、奥行き方向の中央が白色とされ、且つ両端が黒色とされた領域であり、ＣＩＳ４０の主走査方向の基準となる。
【００５９】
図６は、スキャナ１０の制御部５５の構成例を示すブロック図である。
【００６０】
制御部５５は、スキャナ１０の全体動作を制御する。制御部５５は、図６に示されるように、ＣＰＵ（Central Processing Unit）５６、ＲＯＭ（Read Only Memory）５７、ＲＡＭ（Random Access Memory）５８、及びＥＥＰＲＯＭ（Electrically Erasable and Programmable ROM）５９を主とするマイクロコンピュータとして構成されている。この制御部５５は、バス６０を介してＡＳＩＣ（Application Specific Integrated Circuit）６１に接続されている。
【００６１】
ＲＯＭ５７は、ＣＰＵ５６によってスキャナ１０の各種動作を制御する制御プログラム等を格納する。ＲＡＭ５８は、ＣＰＵ５６によって制御プログラムを実行する際に用いる各種データを一時的に記憶する記憶領域又は作業領域である。ＲＡＭ５８は、例えば、ＣＩＳ４０の光源４２（図２参照）の光量調整値、基準部材５３（図５参照）に対して取得した白基準データ３０及び黒基準データ３２を記憶する。光量調整値、白基準データ３０、及び黒基準データ３２については後に詳述される。
【００６２】
ＥＥＰＲＯＭ５９（本発明の記憶部の一例）は、電源オフ後も保持すべき各種設定やフラグ等を格納する。ＥＥＰＲＯＭ５９は、本実施形態においては、第１信号レベル（Ｌ１、本発明の第１の信号レベルの一例）、第２信号レベル（Ｌ２、本発明の第２の信号レベルの一例）、及び第３信号レベル（本発明の第３の信号レベルの一例）を格納している。第１信号レベル及び第２信号レベルは、制御部５５（本発明の判定部に相当する）がプラテンガラス２０に載置された原稿の原稿種別を判定する際の判定基準となる信号強度である。すなわち、第１信号レベル及び第２信号レベルは、プラテンガラス２０上の原稿が第１原稿であるか否かを判定する際の判定基準となる信号強度である。ここで、第１原稿は、例えば本や冊子のように光を透過しない原稿である。制御部５５は、第１信号レベル及び第２信号レベルに基づいて、プラテンガラス２０に載置された原稿が第１原稿であるか否かを判定する。なお、以下の説明では、第１原稿以外の原稿は第２原稿とも称される。ここで、第２原稿は、例えば薄紙や透明なシートのように光を透過する原稿である。第３信号レベルは、原稿台１１の内部で外光を検出するための基準となる信号強度である。制御部５５（本発明の検出部に相当する）は、この第３信号レベルに基づいて、プラテンガラス２０を通して原稿台１１に進入した外光を検出する。制御部５５によるこれらの処理については、後に詳述される。
【００６３】
ＡＳＩＣ６１には、イメージセンサ２１、タイミング生成回路６８、ＡＦＥ（Analog Front End）回路６９、暗補正回路７０、シェーディング補正回路７１、γ補正回路７２、解像度変換回路７３、出力回路７４、原稿検出センサ３６、及び開閉スイッチ２４が接続されている。
【００６４】
イメージセンサ２１は、原稿の読取動作を実行して、原稿の画像（原稿画像）を画像信号として出力するものである。イメージセンサ２１は、ＣＩＳ４０、キャリッジ４１、ＣＲ（キャリッジ）モータ６５、及び駆動回路６６を有する。駆動回路６６は、ＡＳＩＣ６１から入力される相励磁信号等に基づいて、ＣＲモータ６５に駆動信号を通電する。この駆動信号を受けたＣＲモータ６５が回転することにより、キャリッジ４１が往復動される。また、駆動回路６６は、ＣＩＳ４０の光源４２（図２参照）を点灯させるための動作電流の調整や光源４２のＲＧＢ各色の点灯時間の調整も行う。制御部５５は、キャリッジ４１が往復動されている間、ＡＳＩＣ６１を介してイメージセンサ２１を制御することにより、第１動作及び第２動作を含む読取動作をＣＩＳ４０に実行させる。また、制御部５５は、ＲＯＭ５７に格納されている制御プログラムに基づいてイメージセンサ２１を制御することにより、上述の読取動作の他、光量調整値や白基準データ３０及び黒基準データ３２の取得等を行う。
【００６５】
ＣＩＳ４０は、プラテンガラス２０に載置された原稿、又はＡＤＦ２８によって第１領域２０Ｌ上を搬送される原稿に光源４２から光を照射してその原稿画像を１ライン毎に読み取る。読み取られた画像は、画像信号としてＣＩＳ４０からＡＦＥ回路６９へ出力される。キャリッジ４１がプラテンガラス２０の第２領域２０Ｒに沿って移動する過程において、ＣＩＳユニット４０は第１動作を実行する。そして、ＣＩＳ４０は、繰り返される第１動作の所定の間欠期間において第２動作を行う。ここで、第１動作は、プラテンガラス２０に載置された原稿に光源４２から光を照射して原稿画像を１ラインの画像信号として出力する動作である。換言すれば、第１動作は、光源４２の点灯期間にＣＩＳ４０が原稿を主走査方向に１ライン分読み取ってその画像信号を出力する動作である。つまり、第１動作によって得られる画像信号は、光源４２の点灯期間に得られる画像信号である。この第１動作が繰り返されることにより、原稿全体の画像データが得られる。第２動作は、光源４２を消灯させた状態で原稿の画像を１ラインの画像信号として出力する動作である。換言すれば、第２動作は、光源４２の消灯期間にＣＩＳ４０が原稿を主走査方向に１ライン分読み取ってその画像信号を出力する動作である。つまり、第２動作によって得られる画像信号は、光源４２の消灯期間に得られる画像信号である。以下の説明において、第１動作によって得られた画像信号は点灯期間の画像信号と称され、第２動作によって得られた画像信号は消灯期間の画像信号と称される。
【００６６】
点灯期間の画像信号は、後述の各回路６９〜７３で処理された後に出力回路７４から出力され、画像データとしてＲＡＭ５８に格納される。ＲＡＭ５８に格納された点灯期間の画像信号は、スキャンデータとしてコンピュータ、プリンタなどへ転送される。第２動作で得られた消灯期間の画像信号は、各回路６９〜７３で処理された後に出力回路７４から出力され、判定データとしてＲＡＭ５８に格納される。判定データとしてＲＡＭ５８に格納された消灯期間の画像信号に基づいて、制御部５５は外光判定や原稿判定を行う。外光判定は、原稿台１１に外光が進入したか否かを判定する処理である。原稿判定は、プラテンガラス２０に載置された原稿が第１原稿であるか否かを判定する処理である。ＣＩＳ４０は、上述のようにプラテンガラス２０に沿って往復動するキャリッジ４１に搭載されているので、プラテンガラス２０に近接する位置をプラテンガラス２０に沿って移動する。このため、第２動作により精度よく外光が検出され、結果として、外光判定や原稿判定が精度良く行われる。
【００６７】
タイミング生成回路６８は、ＣＩＳ４０に対してトリガ信号（ＴＧ）やクロック信号を供給すると共に、ＡＦＥ回路６９に対して制御信号を供給するものである。ここで、トリガ信号は、１ライン毎の読取動作の周期を決定する信号であり、ＣＩＳ４０の駆動開始のタイミングを決定する信号である。クロック信号は、ＣＩＳ４０から１画素の画像信号を出力するタイミングを決定する信号である。このクロック信号に同期して、ＣＩＳ４０は画像信号を１画素毎に出力する。タイミング生成回路６８から与えられるトリガ信号とクロック信号、及び駆動回路６６から与えられる動作電流等に基づいて、ＣＩＳ４０は第１動作及び第２動作を実行する。
【００６８】
ＡＦＥ回路６９は、ＣＩＳ４０から出力されたアナログの各画像信号をサンプルホールドし、サンプルホールドされた画像信号をデジタル変換するものである。このアナログの画像信号は、点灯期間の画像信号及び消灯期間の画像信号である。デジタル変換は、ＣＩＳ４０から出力されたアナログの画像信号を所定ビット数のデジタルコードからなるデジタル信号に変換する処理である。このデジタル変換は、アナログ／デジタル変換器により行われる。ＡＦＥ回路６９に入力されたアナログの画像信号は、例えば８ビット（２５６階調：０〜２５５）のデジタルの画像信号として暗補正回路７０へ出力される。
【００６９】
暗補正回路７０は、受光素子４４（図２参照）間のばらつきを補正するために、ＡＦＥ回路６９から出力された画像信号を補正するものである。この暗補正回路７０による画像信号の補正は、ＲＡＭ５８に記憶されている黒基準データ３２に基づいて行われる。シェーディング補正回路７１（本発明の第２補正部に相当する）は、第１動作と第２動作によりＣＩＳ４０から出力された点灯期間の画像信号および消灯期間の画像信号、ここでは暗補正回路７０から出力された画像信号をシェーディング補正するものである。このシェーディング補正が行われることにより、受光素子４４間及び光源４２のばらつきが補正される。シェーディング補正回路７１によるシェーディング補正は、ＲＡＭ５８に記憶されている白基準データ３０に基づいて行われる。γ補正回路７２は、γ曲線の補正を行うものである。解像度変換回路７３は、解像度の変換を行うものである。出力回路７４は、各回路６９〜７３により補正された画像信号を出力するものである。出力回路７４から出力された画像信号は、ＲＡＭ５８に格納される。なお、暗補正回路７０、シェーディング補正回路７１、γ補正回路７２、解像度変換回路７３、及び出力回路７４は周知のものであり、詳細な説明は省略する。
【００７０】
開閉スイッチ２４は、上述のように原稿カバー１１（図１参照）の開閉を検出するものである。開閉スイッチ２４がＯＦＦ状態である場合、制御部５５は、原稿カバー１７が開姿勢であると判断する。開閉スイッチ２４がＯＮ状態である場合、制御部５５は、原稿カバー１７が閉姿勢であると判断する。ここで、開姿勢は、原稿台１１に対して原稿カバー１７が開かれた状態を意味し、閉姿勢は、原稿台１１に対して原稿カバー１７が閉じられた状態を意味する。
【００７１】
原稿検出センサ３６（本発明の第１センサに相当する）は、給紙トレイ２２（図２参照）における原稿の有無を検出するものであり、給紙トレイ２２の所定位置に配置されている。原稿検出センサ３６は、本実施形態においてはメカニカルセンサである。この原稿検出センサ３６は、透過型の光センサ（フォトインタラプタ）及び回動可能に軸支された遮蔽部材を備える。フォトインタラプタは、光を出射する発光部、及び発光部から出射された光を受光する受光部が対向配置されたものである。原稿検出センサ３６は、このフォトインタラプタの受光部に光が受光されたことに基づいてセンサ信号を出力する。遮蔽部材が発光部と受光部との間の光路を遮断する位置にある状態では、発光部から出射された光が遮蔽部材により遮蔽されて受光部により受光されない。遮蔽部材が検出されているので、原稿検出センサ３６はＯＦＦ状態にある。給紙トレイ２２に原稿が載置されると、原稿が遮蔽部材に当接して遮蔽部材が回動される。これにより、遮蔽部材がフォトインタラプタの光路を遮断する位置から離脱する。このため、発光部から出射した光が受光部により受光される。すなわち、原稿検出センサ３６はＯＮ状態となる。このように、給紙トレイ２２に原稿が載置されることで原稿検出センサ３６の状態が変化するので、制御部５５は、原稿検出センサ３６から出力されるセンサ信号に基づいて、給紙トレイ２２における原稿の有無を判断することができる。
【００７２】
図７は、原稿の読取開始が指示された場合にスキャナ１０において行われる処理の手順を示すフローチャートである。なお、以下のフローチャートに基づいて説明するスキャナ１０の処理は、ＲＯＭ５７に格納されている制御プログラムに基づいて制御部５５が発行する命令に従って行われる。
【００７３】
制御部５５は、操作パネル１３からユーザによって所定の操作入力が行われたか否かに基づいて、原稿の読取開始命令が入力されたか否かを判断する（Ｓ１）。制御部５５が読取開始命令なしと判断した場合（Ｓ１：ＮＯ）、処理がステップＳ１へ戻される。制御部５５は、読取開始命令ありと判断した場合（Ｓ１：ＹＥＳ）、原稿が給紙トレイ２２に載置されているか又は原稿がプラテンガラス２０に載置されているかを判断する（Ｓ２）。このステップＳ２の判断は、原稿検出センサ３６（図６参照）の検出結果に基づいて行われる。原稿検出センサ３６がＯＮ状態である場合、制御部５５は、原稿が給紙トレイ２２に載置されていると判断する。逆に、原稿検出センサ３６がＯＦＦ状態である場合、制御部５５は、原稿が第２領域２０Ｒに載置されていると判断する。給紙トレイ２２に原稿が載置されていると判断した場合（Ｓ２：給紙トレイ）、制御部５５は、原稿に対して通常読取を行う（Ｓ３）。ここでの通常読取は、ＡＤＦ２８により搬送される原稿に光源４２からＲ、Ｇ、Ｂの光を時分割に照射して原稿画像を１ラインの画像信号として出力するものである。具体的には、キャリッジ４１が移動されてＣＩＳ４０が第１領域２０Ｌ（図２参照）の下方に配置される。この状態で、給紙トレイ２２上の原稿が第１領域２０Ｌ（図４参照）上を通過するように搬送路２６に沿って搬送される。このようにして第１領域２０Ｌ上を通過する原稿の画像がＣＩＳ４０により１ライン毎に読み取られる。
【００７４】
原稿がプラテンガラス２０に載置されていると判断した場合（Ｓ２：プラテン）、制御部５５は、原稿カバー１７の開閉を判断する（Ｓ４）。このステップＳ４の判断は、開閉スイッチ２４の検出結果に基づいて行われる。開閉スイッチ２４がＯＦＦ状態の場合は、原稿カバー１７が開姿勢であると判断される。開閉スイッチ２４がＯＮ状態の場合は、原稿カバー１７が閉姿勢であると判断される。原稿カバー１７が閉姿勢であると判断した場合（Ｓ４：ＮＯ）、制御部５５は、プラテンガラス２０に載置された原稿に対して通常読取を行う（Ｓ３）。ここでの通常読取は、上述の通常読取ではなく、第１動作を繰り返す読取動作である。第１動作は、プラテンガラス２０に載置された原稿に光源４２から光を照射して原稿画像を１ラインの画像信号として出力する動作である。キャリッジ４１が移動される過程において第１動作が繰り返されることにより、プラテンガラス２０に載置された原稿全体の画像が読み取られる。なお、この通常読取が行われる場合、第２動作は行われない。すなわち、ここでの通常読取は、ＣＩＳ４０により光源４２の点灯期間においてのみ原稿を読み取るものである。
【００７５】
原稿カバー１７が開姿勢であると判断した場合（Ｓ４：ＹＥＳ）、制御部５５は、外光補正読取を行う（Ｓ５）。外光補正読取は、第１動作を繰り返し、第１動作の所定の間欠期間である消灯期間において第２動作を行う読取動作である。すなわち、外光補正読取は、ＣＩＳ４０により光源４２の点灯期間および消灯期間において原稿を読み取るものである。なお、後述されるが、この外光補正読取では、第２動作で得られた消灯期間の画像信号に基づいて、原稿台１１の内部に外光を検出したか否かが判断される。そして、外光を検出したことを条件に、第１動作により得られた点灯期間の画像信号から外光の影響を除くための補正処理が行われる。
【００７６】
スキャナ１０は、原稿の読取開始時に第１モード又は第２モードに設定される。ここで、第１モードは、ＣＩＳ４０により光源４２の点灯期間においてのみ原稿を読み取るものである。この第１モードは、ＡＤＦ２８により給紙トレイ２２から搬送される原稿の読み取りを行う場合に設定される。第２モードは、ＣＩＳ４０により光源４２の点灯期間および消灯期間において原稿を読み取るものである。この第２モードは、キャリッジ４１によりＣＩＳ４０が移動される過程で、プラテンガラス２０に載置された原稿の読み取りを行う場合に設定される。スキャナ１０では、第１モードに設定されることによりステップＳ３の処理が行われ、第２モードに設定されることによりステップＳ５の処理が行われる。第１モード及び第２モードは、上述のように、ステップＳ２及びステップＳ４の処理に基づいて切り換えられる。
【００７７】
上記説明したように、原稿の読取開始が指示されたことに基づいて、制御部５５は、原稿検出センサ３６の状態、すなわち原稿の有り又は無しを確認する。原稿検出センサ３６により原稿有りと検出されたことに基づいて、制御部５５は、ユーザにより給紙トレイ２２に載置された原稿の読み取りが指示されたと判断する。この場合、原稿カバー１７が閉じられているので、原稿カバー１７が閉姿勢であり、原稿台１１には外光が進入しない。原稿検出センサ３６により原稿なしと検出されたことに基づいて、制御部５５は、ユーザによりプラテンガラス２０に載置された原稿の読み取りが指示されたと判断する。その際、原稿カバー１７が開姿勢である場合、原稿台１１に外光が進入するおそれがある。原稿検出センサ３６により原稿なしが検出され、且つ開閉スイッチ２４により原稿カバー１７の開姿勢が検出されたことを条件に、後述の外光検出が開始される。この外光検出は、原稿台１１に進入した外光の検出である。なお、原稿の読取開始時に原稿カバー１７の開閉が開閉スイッチ２４により検出される。
【００７８】
図８は、図７におけるステップＳ５の詳細フローチャートである。以下、図８に基づいてステップＳ５の外光補正読取について説明する。この外光補正読取は、原稿がプラテンガラス２０に載置され、原稿カバー１７が開かれた状態で原稿の読取開始が指示された場合に行われる。
【００７９】
原稿カバー１７が開姿勢であると判断した場合（Ｓ４：ＹＥＳ）、制御部５５は、原稿サイズを判定する（Ｓ５０）。詳細には、コンピュータからスキャナドライバ等を介して送信された情報又は操作パネル１３から入力された情報に基づいて、制御部５５は、原稿サイズを判定する。なお、原稿サイズの判定方法はこれに限定されるものではない。例えば、プレスキャンを行って原稿サイズを判定してもよい。また、原稿台１１の内部に第２領域２０Ｒ上の原稿を検出するセンサを設け、そのセンサの検出結果に基づいて原稿サイズを判定してもよい。
【００８０】
次に、制御部５５は、光源４２（図２参照）の光量調整を行う（Ｓ５１）。詳細には、制御部５５は、ＣＲモータ６５（図６参照）を駆動させキャリッジ４１をＣＩＳ４０が基準部材５３の領域５３Ａ（図４及び図５参照）に対応する位置へ移動させる。そして、制御部５５は、光源４２に最初は小さい光量で領域５３Ａへ向けて光照射させる。この場合、領域５３Ａからの反射光も小さいので、ＣＩＳ４０の受光素子４４（図２参照）からの出力も小さい。そして、制御部５５は、受光素子４４の出力が所定値となるまで光源４２の光量を段階的に増加させ、受光量が所定値となったときの光量を光量調整値としてＲＡＭ５８に格納する。すなわち、光量調整値は、受光素子４４の受光量が所定値となる光源４２の光量である。
【００８１】
続いて、制御部５５は、シェーディング補正に使用される白基準データ３０を取得する（Ｓ５２）。詳細には、キャリッジ４１が領域５３Ａ（図４及び図５参照）に対応する位置にある状態で、制御部５５は、光源４２から上記光量調整値の光量で領域５３Ａに光を照射する。そして、制御部５５は、領域５３Ａからの反射光を受光素子４４で電気信号に変換して白基準データ３０を取得する。すなわち、白基準データ３０は、光量調整値の光を光源４２から領域５３Ａに照射した場合に得られる原稿の主走査方向に１ライン分の画像信号である。取得された白基準データ３０は、ＲＡＭ５８（図６参照）に格納される。この白基準データ３０は、領域５３Ａに対して複数回の画像読取を行ってその平均を用いるようにしてもよい。また、白基準データ３０を取得する動作は、領域５３Ａの範囲内でキャリッジ４１を移動させながら行ってもよい。
【００８２】
続いて、制御部５５は、黒基準データ３２を取得する（Ｓ５３）。詳細には、制御部５５は、ＣＲモータ６５を駆動させてキャリッジ４１を基準部材５３の中央の領域５３Ｂに対応する位置（図４及び図５参照）へ移動させる。そして、制御部５５は、光源４２を消灯させた状態で受光素子４４に入射した光から黒基準データ３２を作成する。すなわち、黒基準データ３２は、光源４２を消灯させた状態で領域５３Ｂの画像を読み取って得られる主走査方向に１ライン分の画像信号である。取得された黒基準データ３２は、ＲＡＭ５８に格納される。この黒基準データ３２は、領域５３Ｂに対して複数回の画像読取を行ってその平均を用いるようにしてもよい。また、黒基準データ３２を取得する動作が領域５３Ｂの範囲内でキャリッジ４１を移動させながら行われてもよい。また、ステップＳ５２の処理とステップＳ５３の処理との順序は逆であってもよい。すなわち、黒基準データ３２を取得した後に白基準データ３０を取得してもよい。
【００８３】
ステップＳ５１〜ステップＳ５３の処理が行われると、制御部５５は、ＣＲモータ６５（図６参照）を駆動し、キャリッジ４１を読取開始位置に移動する。読取開始位置は、プラテンガラス２０の第２領域２０Ｒに載置された原稿の読取開始時にキャリッジ４１が配置される位置である。制御部５５は、ＣＲモータ６５を正回転させてキャリッジ４１の移動を開始させる（Ｓ５４）。このキャリッジ４１の移動中に、以下に説明する第１動作及び第２動作がＣＩＳ４０により交互に行われる。
【００８４】
制御部５５は、キャリッジ４１の移動中に、ＣＩＳ４０に第１動作を実行させる（Ｓ５５）。この第１動作では、プラテンガラス２０に載置された原稿の画像が光源４２を点灯させた状態で１ライン分読み取られる。本実施形態における第１動作は、光源４２からレッド（Ｒ）・グリーン（Ｇ）・ブルー（Ｂ）の３色の光を順に照射して原稿の画像を色毎にそれぞれ１ラインの画像信号として出力する動作である。第１動作が実行されることにより、Ｒ成分、Ｇ成分、Ｂ成分の色成分毎にそれぞれ１ライン分のアナログ画像信号がＣＩＳ４０からＡＦＥ回路６９へ出力される。なお、本発明の第１動作は、光源４２から上記３色の光を順に照射して原稿画像をそれぞれ１ラインの画像信号として出力するカラー画像の読取動作に限定されるものではない。すなわち、第１動作は、光源４２から１色の光を照射して原稿画像を１ラインの画像信号として出力するモノクロ画像の読取動作であってもよい。
【００８５】
制御部５５は、第１動作が実行された後、ＣＩＳ４０に第２動作を実行させる（Ｓ５６）。この第２動作では、プラテンガラス２０に載置された原稿の画像が光源４２を消灯させた状態で主走査方向に１ライン分読み取られる。第２動作が実行されることにより、１ライン分のアナログ画像信号がＣＩＳ４０からＡＦＥ回路６９へ出力される。なお、本実施形態においては、ステップＳ５５の処理が行われた後にステップＳ５６の処理が行われるが、これらの処理の順序は逆であってもよい。すなわち、第２動作が行われた後に第１動作が行われてもよい。以下、第１動作及び第２動作からなるＣＩＳ４０の読取動作について、図９に基づいて説明する。
【００８６】
図９は、ＣＩＳ４０により実行される原稿の読取動作を示すタイミングチャートである。図９には、タイミング生成回路６８（図６参照）からＣＩＳ４０へ入力されるトリガ信号ＴＧ、ＣＩＳ４０から出力される画像データ（Ｄａｔａ）、各色成分の画像データの読取タイミングが示されている。トリガ信号ＴＧは、ＣＩＳ４０に１ラインの読取開始を指示する制御信号である。Ｒは、Ｒ色（レッド）の光源４２を点灯させた状態で１ライン分の画像読み取りが行われるタイミングを示す。Ｇは、Ｇ色（グリーン）の光源４２を点灯させた状態で１ライン分の画像読み取りが行われるタイミングを示す。Ｂは、Ｂ色（ブルー）の光源４２を点灯させた状態で１ライン分の画像読み取りが行われるタイミングを示す。Ｎは、光源４２を消灯させた状態で１ライン分の画像読み取りが行われるタイミングを示す。Ｄａｔａは、これらのタイミングでＣＩＳ４０から出力される１ライン毎の画像信号である。
【００８７】
タイミング生成回路６８（図６参照）からＣＩＳ４０にトリガ信号ＴＧが入力されると、図９に示されるように、駆動回路６６（図６参照）によりＲ色の光源４２が点灯されて画像読み取りが行われる。これにより、画像データとして１ライン分のＲ成分のアナログ画像信号がＣＩＳ４０からＡＦＥ回路６９へ出力される。この１ライン分のＲ成分のアナログ画像信号は、タイミング生成回路６８から入力されるクロック信号（不図示）に同期して１画素毎に出力される。タイミング生成回路６８からＣＩＳ４０に与えられる次のトリガ信号ＴＧの立ち上がり時に、駆動回路６６によりＧ色の光源４２が点灯されて画像読み取りが行われる。これにより、画像データとして１ライン分のＧ成分のアナログ画像信号がＣＩＳ４０からＡＦＥ回路６９へ出力される。さらに次のトリガ信号ＴＧの立ち上がり時に、駆動回路６６によりＢ色の光源４２が点灯されて画像読み取りが行われる。これにより、画像データとして１ライン分のＢ成分のアナログ画像信号がＣＩＳ４０からＡＦＥ回路６９へ出力される。このようにして、第１動作では、光源４２から原稿に３色の光が順に照射されて原稿画像が色毎にそれぞれ１ラインの画像信号としてＣＩＳ４０から出力される。この画像信号が上述した点灯期間の画像信号である。
【００８８】
第１動作が完了した後のトリガ信号ＴＧの立ち上がり時には、駆動回路６６により光源４２は点灯されない。この状態で、第２動作として、ＣＩＳ４０による画像読み取りが行われる。これにより、判定用データである１ライン分の画像信号がＣＩＳ４０からＡＦＥ回路６９へ出力される。この画像信号が上述した消灯期間の画像信号である。
【００８９】
図には示されていないが、ＣＩＳ４０にトリガ信号ＴＧが入力されると、受光素子４４から出力された１ライン分の画像信号は、移送ゲートを通してアナログシフトレジスタに一時的に記憶される。そして、次のトリガ信号ＴＧが入力されると、受光素子４４の電荷（画像信号）はリセットされ、タイミング生成回路６８からＣＩＳ４０へクロック信号が入力される毎に、画像信号が１画素ずつＣＩＳ４０から出力される。そのため、図９に示されるように、各色の光源４２が点灯又は消灯されてから若干遅れて、各色の画像信号（画像データ：Ｄａｔａ）がＣＩＳ４０から出力される。なお、第２動作の動作時間としては第１動作と同程度の動作時間としているが、これに限られず、第２動作の動作時間は第１動作に比較して短くてもよい。
【００９０】
点灯期間の画像信号および消灯期間の画像信号は、ＡＦＥ回路６９においてサンプルホールドされ、アナログ画像信号からデジタル信号に変換される。デジタル信号に変換された画像信号は、ＲＡＭ５８に記憶されている黒基準データ３２に基づいて暗補正回路７０により補正される。そして、暗補正回路７０により補正された画像信号は、ＲＡＭ５８に記憶されている白基準データ３０に基づいてシェーディング補正回路７１によりシェーディング補正される。シェーディング補正された画像信号は、γ補正回路７２、解像度変換回路７３により処理された後に出力回路７４から出力され、ＲＡＭ５８に格納される。出力回路７４から出力された点灯期間の画像信号は、原稿の画像データとしてＲＡＭ５８に格納される。出力回路７４から出力された消灯期間の画像信号は、判定用データとしてＲＡＭ５８に格納される。
【００９１】
図８に示されるように、ステップＳ５６の第２動作が実行されると、第２動作によりＣＩＳ４０から出力された消灯期間の画像信号に基づいて、制御部５５は、原稿台１１の内部で外光を検出したか否かを判断する（Ｓ５７）。ここでは、第２動作により得られた消灯期間の画像信号が判定用データとしてＲＡＭ５８に格納されている。制御部５５は、この消灯期間の画像信号の強度がＥＥＰＲＯＭ５９（図６参照）に記憶されている第３信号レベルを超えたことを条件に、外光を検出したとする。逆に、消灯期間の画像信号の強度が第３信号レベルを超えていないことを条件に、外光を検出していないとする。なお、このステップＳ５７の処理は、図７及び図８に示されるように、ステップＳ２においてプラテンと判断され、さらにステップＳ４においてＹＥＳと判断された場合に行われる。すなわち、制御部５５は、原稿検出センサ３６（図６参照）により原稿なしが検出され、さらに開閉スイッチ２４（図１参照）により原稿カバー１７（図１参照）の開姿勢が検出されたことを条件に、ステップＳ５７における外光検出を開始する。
【００９２】
第２動作では、光源４２が点灯されていない。そのため、消灯期間の画像信号の信号強度は、外光が進入していなければＲＡＭ５８に記憶されている黒基準データ３２と同等である。外光が進入していれば、消灯期間の画像信号の強度は、進入した外光の強度に対応したものとなる。ＥＥＰＲＯＭ５９に記憶されている第３信号レベルは、白基準データ３０が取得された後に、該白基準データ３０に基づいて設定される。第３信号レベルは、８ビット（２５６階調：０〜２５５）のデータであり、ここでは、白基準データ３０の階調値の２５％（本発明の所定割合の一例）の階調値に対応するデータが設定されるようになっている。例えば、白基準データ３０の階調値が「２４０」である場合、階調値が「６０」となるように第３信号レベルが設定される。消灯期間の画像信号は、上述のように８ビットのデータである。主走査方向に１ライン分の消灯期間の画像信号は、画素毎に階調値が「６０」を超えたか否かが判断される。
【００９３】
図１０は、外光判定について説明するための図である。
【００９４】
図１０において、実線曲線は、第２動作により得られた第１原稿の１ライン分の画像信号（消灯期間の画像信号）を例示したものである。破線曲線は、第２動作により得られた第２原稿の１ライン分の画像信号（消灯期間の画像信号）を例示したものである。白出力は、ＣＩＳ４０の光源４２から光量調整値で領域５３Ａに光を照射して得られた１ライン分の画像信号をシェーディング補正したものである。黒出力は、ＣＩＳ４０が領域５３Ｂに対応する位置で、光源４２を消灯させた状態で得られた１ライン分の画像信号をシェーディング補正したものである。
【００９５】
プラテンガラス２０に第１原稿が載置された場合、外光は、その第１原稿の主走査方向の両端部分から原稿台１１に進入する。したがって、原稿カバー１７が完全には閉じられていない状態で第１原稿に対する第２動作が行われると、その第２動作で得られた消灯期間の画像信号は、図１０における実線曲線のような信号波形となる。具体的には、第２動作で得られた第１原稿の画像信号は、その階調値が主走査方向の中央部分では黒出力とほぼ等しく、主走査方向の両端部分で第３信号レベルを超える。原稿の主走査方向における両端の位置は、ステップＳ５１の処理に先だって判定された原稿サイズに基づいて判断される。また、本実施形態においては、原稿の主走査方向の両端部分及び中央部分に対応する画像信号の画素数が予め設定されている。したがって、主走査方向に１ライン分の消灯期間の画像信号は、それぞれ端から何番目の画像信号であるかによって、原稿の主走査方向の両端部分に対応する画像信号と中央部分に対応する画像信号とに区別される。なお、両端部分に対応する画像信号と中央部分に対応する画像信号とを区別するための画素数は、例えば原稿サイズにより変更されてもよい。
【００９６】
プラテンガラス２０に第２原稿が載置された場合、外光は、その第２原稿を全体的に透過して原稿台１１に進入する。したがって、原稿カバー１７が完全には閉じられていない状態で第２原稿に対する第２動作が行われると、その第２動作で得られた消灯期間の画像信号は、図１０における破線曲線のような信号波形となる。具体的には、第２動作で得られた第２原稿の画像信号は、その階調値が主走査方向の中央部分では第２原稿を透過した外光の影響で黒出力よりも大きくなる。また、第２動作で得られた第２原稿の画像信号は、その階調値が主走査方向の両端部分では、第２原稿を透過した外光及び第２原稿の主走査方向の両端部分から原稿台１１に進入した外光の影響で第３信号レベルを超える。
【００９７】
制御部５５は、第２動作で得られた消灯期間の画像信号の強度に対応する階調値が第３信号レベルを超えているか否かを画素毎に判断して、ステップＳ５７（図８参照）の判定を行う。例えば、第２動作で得られた主走査方向に１ライン分の消灯期間の画像信号のうち、５０画素（本発明の所定数の一例）について第３信号レベルを超えていることを条件に、原稿台１１に外光が進入したと判定される。逆に、第３信号レベルを超えている画像信号が５０画素未満であれば、原稿台１１に外光は進入していないと判定される。このように、ステップＳ５７では、第２動作によりＣＩＳ４０から出力された消灯期間の画像信号の強度が第３信号レベルを超えたことを条件に、原稿台１１に外光が進入したと判定される。なお、ここでは判定誤差を少なくするために第３の信号レベルを超える強度の画像信号の画素が５０画素に達したことを判定条件としているが、この画素数は、例えば原稿台１１及び原稿カバー１７の構造等に応じて適宜変更されてもよい。
【００９８】
図８に示されるように、制御部５５は、原稿台１１の内部に外光を検出していない場合（Ｓ５７：ＮＯ）、プラテンガラス２０上の原稿に対する読取位置が読取終了位置に到達したか否かを判断する（Ｓ５８）。例えば、制御部５５は、キャリッジ４１の移動が開始されてからＣＲモータ６５（図６参照）に与えられる駆動パルス数をカウントする。そして、制御部５５は、カウントした駆動パルス数が、キャリッジ４１を読取終了位置に到達させるためにＣＲモータ６５に与えられる所定の駆動パルス数に達したか否かを判断する。ステップＳ５８においては、このようにしてキャリッジ４１が読取終了位置に到達したか否かが判断される。キャリッジ４１が読取終了位置に到達していないと制御部５５により判断された場合（Ｓ５８：ＮＯ）、原稿の読み取りが完了していないと判断され、処理がステップＳ５５へ戻される。このため、ステップＳ５５における第１動作及びステップＳ５６における第２動作は、原稿台１１に外光が進入していない状態では、原稿の読み取りか完了するまで交互に繰り返される。すなわち、本実施形態においては、繰り返される第１動作の全ての間欠期間において第２動作が実行される。原稿の読取位置が読取終了位置に到達したと制御部５５により判断された場合（Ｓ５８：ＹＥＳ）、原稿の読み取りが完了したものとして処理が終了される。
【００９９】
ステップＳ５７において、制御部５５は、原稿台１１の内部で外光を検出した場合（Ｓ５７：ＹＥＳ）、ＣＩＳ４０による原稿の読取動作を一旦中断させる（Ｓ５９）。詳細には、制御部５５は、キャリッジ４１の移動を停止させると共にＣＩＳ４０による第１動作及び第２動作を一時的に中断させる。そして、制御部５５は、外光が検出された読取位置（読取ライン）を示す外光検出位置を取得する（Ｓ６０）。詳細には、制御部５５は、外光を検出した消灯期間の画像信号に付加されている当該画像信号の位置情報に基づいて、外光検出位置に関する情報を取得する。なお、外光検出位置に関する情報は、キャリッジ４１の移動が開始されてからＣＲモータ６５に与えられた駆動パルス数から取得されてもよい。取得された外光検出位置に関する情報は、ＲＡＭ５８に格納される。
【０１００】
次に、制御部５５は、第２動作によりＣＩＳ４０から出力された消灯期間の画像信号に基づいて、プラテンガラス２０上の原稿が第１原稿であるか否かを判定する（Ｓ６１）。制御部５５は、このステップＳ６１の処理を行うことにより原稿種別を判定する。なお、このステップＳ６１の処理は、ステップＳ５７においてＹＥＳと判定されたことを条件に行われる。すなわち、プラテンガラス２０上の原稿が第１原稿であるか否かの判定（以下に説明する原稿判定）は、制御部５５が原稿台１１に進入した外光を検出したことを条件に行われる。
【０１０１】
図１１は、原稿判定について説明するための図である。
【０１０２】
図１１において、第１原稿の画像信号（実線曲線）、第２原稿の画像信号（破線曲線）、白出力、及び黒出力は、図１０において説明したものと同様のものである。第１信号レベル及び第２信号レベルは、第２領域２０Ｒ上の原稿が第１原稿であるか否かを判定するための判定基準となる閾値であり、ＥＥＰＲＯＭ５９に格納されている。第２動作で得られた第１原稿の消灯期間の画像信号は、主走査方向の中央部分で黒出力とほぼ等しく、主走査方向の両端部分で第２信号レベルを超えるように大きくなる。これに対し、第２動作で得られた第２原稿の消灯期間の画像信号は、第１原稿の画像信号に対して全体的に階調値が増大している。これは、第２原稿を全体的に透過した外光の影響が画像信号に含まれているためである。ここで、第２動作で得られた第１原稿の画像信号及び第２原稿の画像信号を比較する。図１１に示されているように、これらの原稿の画像信号は、主走査方向の両端部分では、共に階調値が第２信号レベルを超える。これは、原稿が第１原稿であるか又は第２原稿であるかに関わらず、原稿の主走査方向の両端部分から原稿台１１に外光が進入するためである。これに対し、主走査方向の中央部分では、第１原稿の画像信号は外光が第１原稿を透過しないために黒出力とほぼ等しく、第２原稿の画像信号は第２原稿を透過した外光の影響で第１信号レベルを超える。このため、第１信号レベル及び第２信号レベルが適切な値に設定されることにより、プラテンガラス２０上の原稿が第１原稿であるか否かが簡単且つ正確に判定される。
【０１０３】
制御部５５は、ステップＳ６１において、以下の条件に該当する場合に、第２領域２０Ｒ上の原稿が第１原稿であると判定する。この条件とは、原稿の主走査方向の中央部分に対応する消灯期間の画像信号の強度が第１信号レベル未満であり、且つ主走査方向の両端部分に対応する消灯期間の画像信号の強度が第２信号レベルを超えたことである。すなわち、図１１に示される実線波形のような消灯期間の画像信号が第２動作で得られた場合に、原稿が第１原稿であると判定される。逆に、図１１に示される破線波形のような消灯期間の画像信号が第２動作で得られた場合に、原稿が第１原稿ではない、すなわち第２原稿であると判定される。
【０１０４】
上述の説明から明らかなように、プラテンガラス２０上の原稿が第１原稿である場合には、主走査方向に１ライン分の点灯期間の画像信号のうち、原稿の主走査方向の両端部分に対応する画像信号のみが外光の影響を受ける。制御部５５は、プラテンガラス２０上の原稿が第１原稿であると判定した場合（Ｓ６１：ＹＥＳ）、外光が進入したと判定された後の第１動作で得られる点灯期間の画像信号のうち、原稿の主走査方向の両端部分に対応する画像信号を補正対象に設定する（Ｓ６２）。また、プラテンガラス２０上の原稿が第１原稿ではない場合、すなわち、第２原稿である場合、外光が原稿を全体的に透過する。第２領域２０Ｒ上の原稿が第１原稿ではないと判定した場合（Ｓ６１：ＮＯ）、制御部５５は、外光が進入したと判定された後の第１動作で得られる点灯期間の画像信号のうち、主走査方向の全域に対応する画像信号を補正対象に設定する（Ｓ６３）。つまり、制御部５５は、外光検出後の点灯期間の画像信号の全てを補正対象に設定する。
【０１０５】
続いて、制御部５５は、補正対象のシェーディング補正に使用される白基準データを算出する（Ｓ６４）。ステップＳ６２の処理が行われた場合、原稿の主走査方向の両端部分に対応する点灯期間の画像信号のシェーディング補正に使用される白基準データが算出される。すなわち、主走査方向の中央部分に対応する点灯期間の画像信号のシェーディング補正に使用される白基準データは算出されない。ステップＳ６３の処理が行われた場合、原稿の主走査方向の全域に対応する点灯期間の画像信号のシェーディング補正に使用される白基準データが算出される。すなわち、主走査方向に１ライン分の白基準データが算出される。白基準データは、ステップＳ５７において外光が進入したと判定された消灯期間の画像信号、及び以下に示す数１の演算式に基づいて算出される。
【０１０６】
【数１】
2008160807.tif 000003
【０１０７】
ここで、左辺のＷは、算出される白基準データである。Ｗ０は、ＲＡＭ５８に記憶されている白基準データ３０である。αは、補正係数であって、１や、０．５や、１．５等が用いられる。Ｂｌは、ＲＡＭ５８に記憶されている黒基準データ３２である。ＶＮは、実際に外光が進入したと判定された第２動作により得られた消灯期間の画像信号の強度であり、ここでは８ビットのデータである。なお、第２動作により得られた消灯期間の画像信号、及び白基準データ３０は、主走査方向に１ライン分の画像信号である。上記数１の演算式に基づいて白基準データを算出する処理は、主走査方向に並ぶ画素毎に行われる。
【０１０８】
次に、制御部５５は、ＲＡＭ５８に記憶されている白基準データ３０を変更する（Ｓ６５）。詳細には、制御部５５は、ＲＡＭ５８に記憶されている白基準データ３０の全部又は一部を、ステップＳ６４の処理で算出された白基準データに書き換える。このように、制御部５５（本発明の第１補正部に相当する）は、ステップＳ５７において外光を検出したことを条件に、補正処理を行う。ここで、補正処理は、ＣＩＳ４０が光源４２の点灯期間に原稿を読み取って出力した画像信号から外光の影響を除く処理であり、本実施形態においては白基準データ３０を変更する処理である。
【０１０９】
図１２は、白基準データ３０を変更する処理について説明するための図であり、（Ａ）はプラテンガラス２０上の原稿が第１原稿である場合、（Ｂ）はプラテンガラス２０上の原稿が第２原稿である場合を示す。
【０１１０】
プラテンガラス２０に載置された原稿が第１原稿である場合、原稿台１１に外光が進入した状態の第２動作で得られた第１原稿の画像信号は、図１２（Ａ）に示されるように、主走査方向の中央部分では黒基準データ３２とほぼ等しく、主走査方向の両端部分では大きくなる傾向にある。ステップＳ６１においてプラテンガラス２０上の原稿が第１原稿であると判定されたことを条件に、ステップＳ６２、ステップＳ６４、及びステップＳ６５の処理が行われる。すなわち、制御部５５は、プラテンガラス２０上の原稿が第１原稿であると判定したことを条件に、外光検出後の点灯期間の画像信号のうち、原稿の主走査方向の両端部分に対応する点灯期間の画像信号に対してのみ補正処理を行う。ここで、両端部分に対応する点灯期間の画像信号は、主走査方向に１ライン分の画像信号のうち、両端から所定画素数の範囲内にある画像信号である。なお、所定画素数は、上述のように予め設定されている。また、ここでの補正処理は、シェーディング補正に使用される白基準データ３０の一部を変更する処理である。図１２（Ａ）に示されるように、主走査方向に１ライン分の白基準データ３０（実線曲線）のうち、主走査方向の両端（左端部分及び右端部分）の白基準データ３０がステップＳ６４で算出された白基準データ（破線曲線）に変更される。なお、主走査方向の中央部分の白基準データ３０は、変更されることなくそのままシェーディング補正に使用される。
【０１１１】
プラテンガラス２０に載置された原稿が第２原稿である場合、原稿台１１に外光が進入した状態の第２動作で得られた第２原稿の画像信号は、図１２（Ｂ）に示されるように、主走査方向の中央部分では黒基準データ３２よりも大きい。そして、主走査方向の両端部分では原稿の主走査方向の両端から進入する外光の影響を受けて中央部分よりも大きくなる傾向にある。つまり、外光検出後の第１動作により得られた点灯期間の画像信号の全てが外光の影響を受ける。ステップＳ６１においてプラテンガラス２０上の原稿が第１原稿ではないと判定されたことを条件に、ステップＳ６３、ステップＳ６４、及びステップＳ６５の処理が行われる。すなわち、制御部５５は、プラテンガラス２０上の原稿が第１原稿ではないと判定したことを条件に、外光検出後の点灯期間の画像信号のうち、原稿の主走査方向の全域に対応する点灯期間の画像信号に対して補正処理を行う。ここでの補正処理は、シェーディング補正に使用される白基準データ３０を全て変更する処理である。図１２（Ｂ）に示されるように、主走査方向に１ライン分の白基準データ３０（実線曲線）の全てがステップＳ６４で算出された白基準データ（破線曲線）に書き換えられる。
【０１１２】
本実施形態においては、第２動作により得られた消灯期間の画像信号は、第１動作で得られた全ての画像信号に対して各回路６９〜７３による補正等が行われた後に、少なくとも外光検出（ステップＳ５７の処理）に使用される。そのため、第２動作により得られた消灯期間の画像信号に基づいて外光が進入したと判定されるまでは第１動作が継続される。第２動作の直前の第１動作により得られた点灯期間の画像信号は、外光の影響を受けた画像信号であり、外光が検出された時点でＣＩＳ４０から出力されており、外光の影響が除かれることなくＲＡＭ５８に格納される。したがって、外光の影響を除くためには、外光が進入したと判定された時点（ステップＳ５７でＹＥＳと判定された時点）の読取位置から第１動作をやり直す必要がある。
【０１１３】
制御部５５は、ステップＳ６５の処理を行ってシェーディング補正回路７１により使用される白基準データ３０を変更した後、読取位置を設定ライン数分戻す（Ｓ６６）。詳細には、制御部５５は、ＣＲモータ６５を逆回転させて、キャリッジ４１を原稿の読取中に移動していた方向とは逆方向に設定ライン数だけ移動させる。設定ライン数は、外光が検出された消灯期間の画像信号に対応する原稿の読取位置（読取ライン）よりも読取位置が戻されるように、適切なライン数が予めＥＥＰＲＯＭ５９に設定されている。設定ライン数の設定は、制御部５５等のデータ処理速度やキャリッジ４１の移動速度に基づいて設定される。キャリッジ４１が逆方向に移動されて読取位置が戻されると、制御部５５は、キャリッジ４１の移動を再開させる（Ｓ６７）。詳細には、制御部５５は、ＣＲモータ６５を正回転されて、キャリッジ４１を先の読取動作中に移動していた方向と同方向に移動させる。
【０１１４】
制御部５５は、キャリッジ４１の移動が再開された後、ＣＩＳ４０の読取位置が外光検出位置に到達したか否かを判断する（Ｓ６８）。外光検出位置は、ステップＳ６０の処理で取得した外光検出位置に対応する読取位置である。なお、このステップＳ６８の処理は、ＣＲモータ６５の駆動パルス数を監視することにより行われる。読取位置が外光検出位置に到達していないと判断した場合（Ｓ６８：ＮＯ）、制御部５５は、キャリッジ４１の移動のみを継続させて、処理がステップＳ６８へ戻される。読取位置が外光検出位置に到達したと判断された場合（Ｓ６８：ＹＥＳ）、処理がステップＳ５５へ戻される。これにより、外光が検出された第２動作の読取位置から、第１動作及び第２動作が再開される。
【０１１５】
なお、原稿の読取中に外光が検出された場合には、原稿の読取動作が中断されていた間に、白基準データ３０がステップＳ６５の処理によって変更されている。読取再開後の第１動作で得られた点灯期間の画像信号は、この変更後の白基準データに基づいてシェーディング補正回路７１（図６参照）によりシェーディング補正される。
【０１１６】
このように、外光が進入したと判定されたことを条件に、制御部５５は、ＣＩＳ４０による第１動作を一旦中断させ、原稿の読取位置を設定ライン分戻してＣＩＳ４０による第１動作を再開させる。ステップＳ５２の処理で取得された白基準データ３０は、ステップＳ６４の処理で算出された新たな白基準データにその一部又は全部が書き換えられる。外光が検出された後にＣＩＳ４０から出力された点灯期間の画像信号は、この変更後の白基準データに基づいてシェーディング補正される。制御部５５が変更後の白基準データ３０に基づいて画像信号をシェーディング補正する処理が、外光が進入したと判定された後の第１動作によりＣＩＳ４０から出力された点灯期間の画像信号から外光の影響を除くための補正処理である。つまり、本発明の補正処理は、外光が進入したと判定された第２動作によりＣＩＳ４０から出力された消灯期間の画像信号に基づいて、ＲＡＭ５８に記憶されている白基準データ３０を変更する処理である。
【０１１７】
図１３は、ＣＩＳ４０により実行される原稿の読取動作の変形例を示すタイミングチャートである。
【０１１８】
図１３に示されているように、光源４２からＲ・Ｇ・Ｂの３色の光のうちのいずれか１色の光を原稿に照射して原稿画像を１ラインの画像信号として出力する第１動作と、光源４２を消灯させた状態で原稿画像を１ライン分の画像信号として出力する第２動作とを交互に行うようにしてもよい。
【０１１９】
以上の説明から明らかなように、通常の読取動作である第１動作の所定の間欠期間において、光源４２を消灯させた状態で原稿画像を画像信号として出力する第２動作が行われる。この第２動作により得られた消灯期間の画像信号に基づいて、プラテンガラス２０上の原稿が第１原稿であるか否かが判定される。そして、上述のようにその判定結果に応じた補正処理を行うことにより、第１動作によって得られた点灯期間の画像信号から外光の影響を除くための補正処理を適切に行うことが可能となる。
【０１２０】
なお、本発明は、上記実施形態に限定されるものではなく、以下の形態でもよい。
【０１２１】
プラテンガラス２０上の原稿が第１原稿であるか否かの判定の仕方は、本実施形態で説明したものに限定されるものではない。例えば、第１信号レベル及び第２信号レベルが同じ信号レベルであってもよい。また、原稿台１１に外光が進入したと判定されたことを条件に、原稿の主走査方向の中央部分に対応する消灯期間の画像信号の強度が第１信号レベル未満であるか否かに基づいてプラテンガラス２０上の原稿が第１原稿であるか否かが判定されてもよい。すなわち、本実施形態における第２信号レベル（図１１参照）を用いることなく第１信号レベルのみを用いて原稿判定が行われてもよい。
【０１２２】
また、本実施形態においては、原稿台１１の内部で外光が検出されたことを条件にプラテンガラス２０上の原稿が第１原稿であるか否かが判定される形態について説明したが、この判定は、外光が検出されたか否かに関わらず行われてもよい。
【０１２３】
また、本実施形態においては、第２動作によりＣＩＳ４０から出力された消灯期間の画像信号の強度が第３信号レベルを超えたことを条件に外光を検出したとする形態について説明したが、判定条件はこれに限定されるものではない。例えば、１ライン分の消灯期間の画像信号の強度の平均値が第３信号レベルを超えたことを条件として外光を検出したとする形態であってもよい。
【０１２４】
また、本実施形態においては、原稿検出センサ３６により原稿なしが検出されたことを条件に外光を検出する形態について説明したが、この外光検出が行われる条件はこれに限定されるものではない。例えば、ＣＩＳ４０によりプラテンガラス２０上の原稿が検出されたことを条件に、外光検出が行われてもよい。
【０１２５】
また、本実施形態においては、開閉スイッチ２４により原稿カバー１７の開姿勢が検出されたことを条件に外光検出が行われる形態について説明したが、この外光検出が行われる条件はこれに限定されるものではない。例えば、原稿カバー１７の開閉に関わらず外光検出が行われてもよい。
【０１２６】
また、本実施形態においては、補正処理がシェーディング補正に使用される白基準データ３０を変更する処理である形態について説明したが、補正処理はこれに限定されるものではない。例えば、点灯期間の画像信号の出力値から消灯期間の画像信号の出力値を差し引いて外光の影響を除くようにしてもよい。
【０１２７】
また、外光が進入したと判定された場合に行われる処理は、補正処理に限定されるものではない。例えば、外光が進入したと判定された場合に、操作パネル１３の液晶ディスプレイに外光が進入した旨の情報を表示する報知が補正処理の代わりに行われてもよい。また、外光が進入したと判定された場合に、原稿の読取動作が中止されてもよい。また、外光が進入した旨を報知した後、ユーザが操作パネル１３から選択操作を行って原稿の読取動作の再開又は中止を選択可能としてもよい。
【０１２８】
また、本実施形態においては、各回路６９〜７３により処理された後の消灯期間の画像信号に基づいて外光が進入したか否かが判定される形態について説明したが、判定処理のタイミングはこれに限定されるものではない。例えば、ＣＩＳ４０から出力され、ＡＦＥ回路６９へ入力される前の消灯期間のアナログ画像信号に基づいて判定処理を行ってもよい。また、ＡＦＥ回路６９から出力された消灯期間のデジタルの画像信号に基づいて判定処理を行ってもよい。
【０１２９】
また、本実施形態においては、本発明の読取部がＣＩＳ４０である場合について説明したが、読取部はこれに限定されるものではない。読取部は、透過板に載置された原稿に光源から光を照射してその原稿画像を１ライン毎に読み取るものであれば、他のものであってもよい。
【図面の簡単な説明】
【０１３０】
【図１】図１は、スキャナ１０の外観構成を示す斜視図であり、原稿カバー１７が開かれた状態を示す。
【図２】図２は、図１における矢視IIから見たスキャナ１０の部分縦断面図であり、原稿カバー１７が閉じられた状態を示す。
【図３】図３は、図１における矢視IIIから見た原稿台１１の縦断面図である。
【図４】図４は、基準部材５３付近の構成を示す拡大断面図である。
【図５】図５は、基準部材５３の構成を示す平面図である。
【図６】図６は、スキャナ１０の制御部５５の構成例を示すブロック図である。
【図７】図７は、原稿の読取開始が指示された場合にスキャナ１０において行われる処理の手順を示すフローチャートである。
【図８】図８は、図７におけるステップＳ５の詳細フローチャートである。
【図９】図９は、ＣＩＳ４０により実行される原稿の読取動作を示すタイミングチャートである。
【図１０】図１０は、外光判定について説明するための図である。
【図１１】図１１は、原稿判定について説明するための図である。
【図１２】図１２は、白基準データ３０を変更する処理について説明するための図であり、（Ａ）はプラテンガラス２０上の原稿が第１原稿である場合、（Ｂ）はプラテンガラス２０上の原稿が第２原稿である場合を示す。
【図１３】図１３は、ＣＩＳ４０により実行される原稿の読取動作の変形例を示すタイミングチャートである。
【符号の説明】
【０１３１】
１０・・・スキャナ（本発明の画像読取装置の一例）
１１・・・原稿台
１７・・・原稿カバー
２０・・・プラテンガラス
２１・・・イメージセンサ
２２・・・給紙トレイ（本発明の原稿トレイに相当）
２４・・・開閉スイッチ（本発明の第２センサに相当）
２８・・・ＡＤＦ（本発明の移動部の一部、搬送機構の一例）
３０・・・白基準データ
３６・・・原稿検出センサ（本発明の第１センサに相当）
４０・・・ＣＩＳ（本発明の読取部の一例）
４１・・・キャリッジ（本発明の移動部の一部、移動機構の一例）
４２・・・光源
５５・・・制御部（本発明の判定部、検出部、及び第１補正部に相当）
５９・・・ＥＥＰＲＯＭ（本発明の記憶部の一例）
７１・・・シェーディング補正回路（本発明の第２補正部に相当）
【図１】
2008160807.tif 000004
【図２】
2008160807.tif 000005
【図３】
2008160807.tif 000006
【図４】
2008160807.tif 000007
【図５】
2008160807.tif 000008
【図６】
2008160807.tif 000009
【図７】
2008160807.tif 000010
【図８】
2008160807.tif 000011
【図９】
2008160807.tif 000012
【図１０】
2008160807.tif 000013
【図１１】
2008160807.tif 000014
【図１２】
2008160807.tif 000015
【図１３】
2008160807.tif 000016